(57)【要約】【課題】大がかりなテントで塔状構造物全体を覆う必要がなく、切断時に有害物質を含む粉塵が外部に漏洩しない塔状構造物の解体方法および解体装置を提供する。【解決手段】塔状構造物１０を切断して解体する方法であって、塔状構造物１０を切断する高さ位置Ｐの周囲を覆い１２で覆った後、覆い１２内部の塔状構造物１０を有害物質で汚染されている深度以上だけ除去して汚染部分を排除し、その後、汚染部分を排除した高さ位置Ｐで塔状構造物１０を切断するようにする。【選択図】図１
2019135352.tif 000002
【特許請求の範囲】
【請求項１】
塔状構造物を切断して解体する方法であって、
塔状構造物を切断する高さ位置の周囲を覆いで覆った後、覆い内部の塔状構造物を有害物質で汚染されている深度以上だけ除去して汚染部分を排除し、その後、汚染部分を排除した高さ位置で塔状構造物を切断することを特徴とする塔状構造物の解体方法。
【請求項２】
負圧下の覆い内部で汚染部分を排除することを特徴とする請求項１に記載の塔状構造物の解体方法。
【請求項３】
塔状構造物を切断して解体する装置であって、
塔状構造物を切断する高さ位置の周囲を覆う覆いと、覆い内部の塔状構造物を有害物質で汚染されている深度以上だけ除去して汚染部分を排除する排除手段と、汚染部分を排除した高さ位置で塔状構造物を切断する切断手段とを備えることを特徴とする塔状構造物の解体装置。
【請求項４】
排除手段は、負圧下の覆い内部で汚染部分を排除するものであることを特徴とする請求項３に記載の塔状構造物の解体装置。
【発明の詳細な説明】
【技術分野】
【０００１】
本発明は、内部が有害物質で汚染した煙突や排気塔などの塔状構造物の解体方法および解体装置に関するものである。
【背景技術】
【０００２】
従来、排気塔を切断する場合は、排気塔の外側から切断していた。切断方法には、ワイヤーソーを使った切断、ガス切断、プラズマ切断、レーザー切断などの方法を用いることが多い。排気塔を長年使用した施設では、ダイオキシンや有害金属、放射性物質などの有害物質が排気塔のコンクリート内部に浸透している場合がある。また、内部にアスベストを吹き付けた排気塔も存在する。このように内部が有害物質で汚染している排気塔をワイヤーソーで切断する場合、従来通りの切断を行うと、ワイヤーソーが汚染した深さに達したときに、有害物質を含む粉塵が大量に発生するおそれがある。他の切断方法でも同様なことが起こるおそれがある。
【０００３】
そのため、排気塔全体をテントなどで覆い、有害物質がテントの外に漏れないような厳重な状況下で工事を行わなければならなかった。また、例えば特許文献１〜３に示すような技術を適用して、工事を行わなければならなかった。
【先行技術文献】
【特許文献】
【０００４】
【特許文献１】特開２００３−３４３８２７号公報
【特許文献２】特開２００３−１７６９１１号公報
【特許文献３】特開２００２−２３５４５８号公報
【発明の概要】
【発明が解決しようとする課題】
【０００５】
しかし、排気塔全体をテントで覆い、有害物質がテントの外に漏れないような厳重な状況下で工事を行う場合には、排気塔と同程度の高さのテントを用意する必要があり、排気塔を覆うのに大がかりな準備が必要になる。
【０００６】
また、切断工事により生じた有害物質を含む粉塵が、テント内部のあらゆるものに付着するので、二次汚染対策が必要になる。
【０００７】
さらに、切断工事終了後、テントや二次汚染対策に用いたシート類には有害物質が含まれるため、これらは全て有害物として処分しなければならない。このため廃棄物量が増え、それに伴い廃棄物処分費用も増えるおそれがある。
【０００８】
このため、大がかりなテントで排気塔全体を覆わずに済み、切断時に有害物質を含む粉塵が外部に漏洩することのない方法が求められていた。
【０００９】
本発明は、上記に鑑みてなされたものであって、大がかりなテントで塔状構造物全体を覆う必要がなく、切断時に有害物質を含む粉塵が外部に漏洩しない塔状構造物の解体方法および解体装置を提供することを目的とする。
【課題を解決するための手段】
【００１０】
上記した課題を解決し、目的を達成するために、本発明に係る塔状構造物の解体方法は、塔状構造物を切断して解体する方法であって、塔状構造物を切断する高さ位置の周囲を覆いで覆った後、覆い内部の塔状構造物を有害物質で汚染されている深度以上だけ除去して汚染部分を排除し、その後、汚染部分を排除した高さ位置で塔状構造物を切断することを特徴とする。
【００１１】
また、本発明に係る他の塔状構造物の解体方法は、上述した発明において、負圧下の覆い内部で汚染部分を排除することを特徴とする。
【００１２】
また、本発明に係る塔状構造物の解体装置は、塔状構造物を切断して解体する装置であって、塔状構造物を切断する高さ位置の周囲を覆う覆いと、覆い内部の塔状構造物を有害物質で汚染されている深度以上だけ除去して汚染部分を排除する排除手段と、汚染部分を排除した高さ位置で塔状構造物を切断する切断手段とを備えることを特徴とする。
【００１３】
また、本発明に係る他の塔状構造物の解体装置は、上述した発明において、排除手段は、負圧下の覆い内部で汚染部分を排除するものであることを特徴とする。
【発明の効果】
【００１４】
本発明に係る塔状構造物の解体方法によれば、塔状構造物を切断して解体する方法であって、塔状構造物を切断する高さ位置の周囲を覆いで覆った後、覆い内部の塔状構造物を有害物質で汚染されている深度以上だけ除去して汚染部分を排除し、その後、汚染部分を排除した高さ位置で塔状構造物を切断するので、従来のように大がかりなテントで塔状構造物全体を覆う必要がなくなる。また、一部を簡単に覆うだけで、有害物質を含む粉塵が外部に漏洩しない切断工事が可能になるという効果を奏する。
【００１５】
また、本発明に係る他の塔状構造物の解体方法によれば、負圧下の覆い内部で汚染部分を排除するので、その際に発生した有害物質を含む粉塵が外部に漏洩する事態を未然に防止することができるという効果を奏する。
【００１６】
また、本発明に係る塔状構造物の解体装置によれば、塔状構造物を切断して解体する装置であって、塔状構造物を切断する高さ位置の周囲を覆う覆いと、覆い内部の塔状構造物を有害物質で汚染されている深度以上だけ除去して汚染部分を排除する排除手段と、汚染部分を排除した高さ位置で塔状構造物を切断する切断手段とを備えるので、従来のように大がかりなテントで塔状構造物全体を覆う必要がなくなる。また、一部を簡単に覆うだけで、有害物質を含む粉塵が外部に漏洩しない切断工事が可能になるという効果を奏する。
【００１７】
また、本発明に係る他の塔状構造物の解体装置によれば、排除手段は、負圧下の覆い内部で汚染部分を排除するものであるので、その際に発生した有害物質を含む粉塵が外部に漏洩する事態を未然に防止することができるという効果を奏する。
【図面の簡単な説明】
【００１８】
【図１】図１は、本発明に係る塔状構造物の解体方法および解体装置の実施の形態を示す側断面図である。
【図２】図２は、Ｖ字型のはつり位置を示す断面図である。
【図３】図３は、コの字型のはつり位置を示す断面図である。
【図４】図４は、排気塔内部のはつる場所とクレーン吊り上げ用の穴の配置例であり、（１）は断面図、（２）は正面図である。
【発明を実施するための形態】
【００１９】
以下に、本発明に係る塔状構造物の解体方法および解体装置の実施の形態を図面に基づいて詳細に説明する。なお、以下の実施の形態の説明では、塔状構造物が筒状の排気塔である場合を例にとり説明するが、この実施の形態により本発明が限定されるものではない。
【００２０】
（塔状構造物の解体方法）
まず、本発明に係る塔状構造物の解体方法の実施の形態について説明する。
【００２１】
図１に示すように、本実施の形態に係る塔状構造物の解体方法は、排気塔１０（塔状構造物）を切断する高さ位置Ｐの周囲を覆い１２で覆った後、覆い１２内部の排気塔１０の内面を、放射性物質などの有害物質で汚染されている深度以上だけ除去して汚染部分を排除し、その後、汚染部分を排除した高さ位置Ｐで排気塔１０を切断するものである。
【００２２】
このように、本実施の形態では、排気塔１０内面の切断位置に存在する汚染部分を前もって除去しておいた後に、切断する。このようにすれば、切断工事の際に有害物質を含む粉塵が飛散するおそれがないので、従来のように大がかりなテントで排気塔１０全体を覆う必要がなくなる。また、一部を簡単に覆うだけで、有害物質を含む粉塵が外部に漏洩しない切断工事が可能になる。さらに、有害物質を含む二次廃棄物の発生量を少なく抑えることができる。
【００２３】
＜具体的な施工例＞
次に、具体的な施工例について説明する。
まず、排気塔１０の切断作業を行う前に、排気塔１０内部の汚染深度分布を測定する。この測定方法には、例えばコアボーリングを行って、有害元素の深度分布測定を行う方法を用いることができる。なお、本発明はこの測定方法に限るものではなく、例えば排気塔１０の内面表層へのドリル等によるはつり、排気塔１０内面の目視観察、シミュレーションを用いた方法などを適用して排気塔１０内部の汚染深度分布を測定してもよい。
【００２４】
次に、図１に示すように、排気塔１０の外周に足場１４を組み、排気塔１０上部からチェアゴンドラ１６に乗って作業員が排気塔１０内部に入れるようにする。具体的には、足場１４は排気塔１０の上端よりも高く組み上げて、その上端にアーム１８を渡し、このアーム１８に図示しない巻上機とワイヤーロープ２０を介してチェアゴンドラ１６を吊り下げ、チェアゴンドラ１６が排気塔１０内部を昇降移動可能な状態にする。また、排気塔１０上部付近をシートなどの覆い１２で覆い、粉塵が外部へ飛散しないようにする。排気塔１０下部に負圧除塵装置２２を設置し、排気塔１０内部を負圧に保てるようにする。負圧除塵装置２２には、外部に排気するための排気ダクト２４を繋げる。
【００２５】
次に、作業員がチェアゴンドラ１６に乗って排気塔１０内部に入り、排気塔１０の内面表層を図２に示すような側断面視でＶ字型や、図３に示すようなコの字型にはつる。ただし、はつりの断面形状はこれらに限定するものではなく、例えば側断面視で半円形などでもよい。
【００２６】
はつる位置は、排気塔１０を上下に切断する高さ位置Ｐである。排気塔１０の平面断面形状が四角形ならば四面全周を、円筒形ならば内周全周をはつる。その際、事前に取得済の有害元素の深度分布測定結果に基づき、有害元素が存在しない深さＤまではつる。その際に発生した粉塵は、排気塔１０上部から流れ込んだ空気とともに、排気塔１０下部で負圧集塵装置２２に捕集される。負圧下ではつり作業を行うことで、その際に発生した有害物質を含む粉塵が外部に漏洩する事態を未然に防止することができる。
【００２７】
図２に示すように、Ｖ字型のはつりは、例えばエアーカッター等を用いて、切断予定箇所の内面表層２６に対して斜め上と斜め下から切り込み１、２を入れることで実施することができる。図３に示すように、コの字型のはつりは、数ｃｍ隔てた上下２箇所に対してエアーカッター等で所望の深さまで水平な切り込み１、２を入れ、上下の切り込み１、２の間を割って部分Ａを除去することで実施することができる。
【００２８】
はつり終了後、図１の状態から覆い１２（シート）とチェアゴンドラ１６を撤去するとともに、排気塔１０の上部に蓋をする。
【００２９】
次に、図４に示すように、例えばコアボーリングマシンで吊り上げ用の穴２８を排気塔１０にあける。その際、発生した粉塵は例えばバキュームクリーナーで回収する。続いて、吊り上げ用の穴２８にワイヤーロープを通し、クレーンで軽く吊る。
【００３０】
次に、Ｖ字型またはコの字型にはつって形成した溝３０の高さ位置Ｐを、排気塔１０の外側からワイヤーソーで切断する。ワイヤーソーによる切断箇所に防塵カバーを取り付け、粉塵が外部に出ないようにする。ワイヤーソーが有害物質が含まれる深さに達しても、有害物質を含む部分は、事前のはつりにより除去されているため、有害物質を含む粉塵は発生しない。
【００３１】
切断が終わったら、排気塔１０内部に付着した粉塵を清掃し、切断箇所よりも上側の排気塔１０をクレーンで吊り上げて下側の排気塔１０から撤去し、所定の場所に降ろす。
【００３２】
次に、上側が切断された排気塔１０上部をシートなどの覆い１２で覆い、チェアゴンドラ１６を再び設置する。作業員は再びチェアゴンドラ１６に乗って、排気塔１０を切断する高さ位置Ｐで排気塔１０の内面表層をＶ字型またはコの字型にはつる。その後、覆い１２とチェアゴンドラ１６を撤去し、排気塔１０の上端に蓋をする。吊り上げ用の穴２８をあけてワイヤーロープを通し、クレーンで軽く吊り、その状態で外部からワイヤーソーで排気塔１０を切断する。以下、同様な作業を繰り返し、排気塔１０を上側から解体していく。
【００３３】
このように排気塔１０を複数箇所で切断する場合において、切断箇所の有害物質を事前に除去するためのはつり作業と、クレーン吊り上げ用の穴２８の開口作業の実施順序は、排気塔１０の切断と交互でなくてもよい。例えば、排気塔１０の切断前に切断箇所のはつり作業と吊り上げ用の穴２８の開口作業を全ての対象箇所について行っておいてもよい。
【００３４】
なお、強度と作業効率の観点より、クレーン吊り上げ用の穴２８の開口作業と内部のはつり作業は、約１ｍ間隔で上下２箇所ずつ行うのが好ましい。例えば、排気塔１０上端から１ｍおよび２ｍ低い高さ位置Ｐで排気塔１０内部をはつる一方、排気塔１０上端から０．３ｍおよび１．３ｍ低い高さ位置でクレーン吊り上げ用の穴２８をあけ、上下２箇所の切断を連続して行う。この作業を繰り返すことで、作業を効率よく安全に行える。
【００３５】
（塔状構造物の解体装置）
次に、本発明に係る塔状構造物の解体装置の実施の形態について説明する。
【００３６】
図１に示すように、本実施の形態に係る塔状構造物の解体装置は、排気塔１０（塔状構造物）を切断する高さ位置Ｐの周囲を覆う覆い１２と、覆い１２内部の排気塔１０を有害物質で汚染されている深度以上だけ除去して汚染部分を排除する排除手段と、汚染部分を排除した高さ位置Ｐで排気塔１０を切断する切断手段と、チェアゴンドラ１６と、負圧除塵装置２２とを備える。
【００３７】
排除手段は、排気塔１０の内面表層をはつって汚染部分を排除することが可能なエアーカッター等の切刃工具で構成することができる。この排除手段を用いて、負圧下の覆い１２の内部で汚染部分を排除すれば、その際に発生した有害物質を含む粉塵が外部に漏洩することを未然に防止することができる。切断手段は、例えばワイヤーソーなどの切断装置で構成することができる。
【００３８】
上記構成の動作および作用について説明する。
覆い１２に覆われた排気塔１０の内部に作業員を乗せたチェアゴンドラ１６を降ろし、切断位置の排気塔１０の内面表層に存在する汚染部分を、負圧下で排除手段により前もって除去しておく。その後、この位置を切断手段で切断し、切断した排気塔１０をクレーン等で撤去する。このようにすれば、切断工事の際に有害物質を含む粉塵が飛散するおそれがないので、従来のように大がかりなテントで排気塔１０全体を覆う必要がなくなる。また、一部を簡単に覆うだけで、有害物質を含む粉塵が外部に漏洩しない切断工事が可能になる。さらに、有害物質を含む二次廃棄物の発生量を少なく抑えることができる。
【００３９】
以上説明したように、本発明に係る塔状構造物の解体方法によれば、塔状構造物を切断して解体する方法であって、塔状構造物を切断する高さ位置の周囲を覆いで覆った後、覆い内部の塔状構造物を有害物質で汚染されている深度以上だけ除去して汚染部分を排除し、その後、汚染部分を排除した高さ位置で塔状構造物を切断するので、従来のように大がかりなテントで塔状構造物全体を覆う必要がなくなる。また、一部を簡単に覆うだけで、有害物質を含む粉塵が外部に漏洩しない切断工事が可能になる。
【００４０】
また、本発明に係る他の塔状構造物の解体方法によれば、負圧下の覆い内部で汚染部分を排除するので、その際に発生した有害物質を含む粉塵が外部に漏洩する事態を未然に防止することができる。
【００４１】
また、本発明に係る塔状構造物の解体装置によれば、塔状構造物を切断して解体する装置であって、塔状構造物を切断する高さ位置の周囲を覆う覆いと、覆い内部の塔状構造物を有害物質で汚染されている深度以上だけ除去して汚染部分を排除する排除手段と、汚染部分を排除した高さ位置で塔状構造物を切断する切断手段とを備えるので、従来のように大がかりなテントで塔状構造物全体を覆う必要がなくなる。また、一部を簡単に覆うだけで、有害物質を含む粉塵が外部に漏洩しない切断工事が可能になる。
【００４２】
また、本発明に係る他の塔状構造物の解体装置によれば、排除手段は、負圧下の覆い内部で汚染部分を排除するものであるので、その際に発生した有害物質を含む粉塵が外部に漏洩する事態を未然に防止することができる。
【産業上の利用可能性】
【００４３】
以上のように、本発明に係る塔状構造物の解体方法および解体装置は、内部が放射性物質などの有害物質で汚染した煙突や排気塔などの塔状構造物の解体に有用であり、特に、大がかりなテントで塔状構造物全体を覆う必要がなく、切断時に有害物質を含む粉塵が外部に漏洩する事態を防ぐのに適している。
【符号の説明】
【００４４】
１０  排気塔（塔状構造物）
１２  覆い
１４  足場
１６  チェアゴンドラ
１８  アーム
２０  ワイヤーロープ
２２  負圧除塵装置
２４  排気ダクト
２６  内面表層
２８  穴
３０  溝
Ｄ  深さ
Ｐ  高さ位置
【図１】
2019135352.tif 000003
【図２】
2019135352.tif 000004
【図３】
2019135352.tif 000005
【図４】
2019135352.tif 000006